(57)【要約】【課題】  環状絞り部材の内周面の凹凸形状による影響を低減し、良好な画質の画像を形成するレンズ鏡筒を提供すること。【解決手段】  レンズ鏡筒１０の光路上には、２枚のフレアカット絞り２１Ａ，２１Ｂが配設されている。フレアカット絞り２１Ａ，２１Ｂの内周面は、薄板材からプレス抜き加工で打ち抜く際に生じる凹凸ピッチを有する鋸歯形状を呈している。フレアカット絞り２１Ａに対してフレアカット絞り２１Ｂを光軸ＡＸ回りに回転し、相互に凹凸ピッチをずらすことにより、フレアカット絞り２１Ａ，２１Ｂの単独の凹凸ピッチより小さいピッチのフレアカット絞りを配設したのと同等の効果が得られる。【選択図】  図２
2006133442.tif 000002
【特許請求の範囲】
【請求項１】
入射した被写体光のうち撮像に不要な光をカットするために鋸歯状の凹凸を内周面に設けた環状の絞り部材が光軸方向に少なくとも２枚配設されるレンズ鏡筒であって、
前記少なくとも２枚の絞り部材のそれぞれは、それらの鋸歯状の凹凸ピッチを前記光軸回りにずらして配設されることを特徴とするレンズ鏡筒。
【請求項２】
請求項１に記載のレンズ鏡筒において、
前記絞り部材の枚数をｎとし、ｎ枚の絞り部材の前記鋸歯状の凹凸ピッチをそれぞれｐとするとき、前記ｎ枚の絞り部材のそれぞれは、それらの鋸歯状の凹凸ピッチを前記光軸回りにｐ／ｎづつずらして配設されることを特徴とするレンズ鏡筒。
【請求項３】
請求項１または２に記載のレンズ鏡筒において、
前記絞り部材の外周面には、位置決め用の突起部が設けられるとともに、
前記絞り部材が固定されるレンズ枠には、前記突起部の位置合わせ用指標が設けられていることを特徴とするレンズ鏡筒。
【請求項４】
入射した被写体光のうち撮像に不要な光をカットするために鋸歯状の凹凸を内周面に設けた環状の絞り部材が光軸方向に少なくとも２枚配設されるレンズ鏡筒であって、
前記少なくとも２枚の絞り部材の鋸歯状の凹凸は互いに相補形状であり、
一方の絞り部材の鋸歯状の各凹と他方の絞り部材の鋸歯状の各凸とが対峙するとともに、一方の絞り部材の鋸歯状の各凸と他方の絞り部材の鋸歯状の各凹とが対峙するように、前記少なくとも２枚の絞り部材が配設されることを特徴とするレンズ鏡筒。
【請求項５】
請求項１〜４のいずれか一項に記載のレンズ鏡筒と、
前記レンズ鏡筒に入射する被写体光による被写体像を撮像する撮像手段とを備えることを特徴とするカメラ。
【発明の詳細な説明】
【技術分野】
【０００１】
本発明は、レンズ鏡筒およびこれを備えるカメラに関する。
【背景技術】
【０００２】
レンズ鏡筒には、撮像に有害な入射光線をカットするために環状の絞り部材が配設されている。絞り部材は、開口絞りの近傍に配設される場合は、その内周面が光路に接しているため、全反射が発生し、特に逆光状態では、結像性能を阻害するフレアやゴーストが発生する。そこで、絞り部材の内周面に鋸歯状の凹凸をつけて有害な入射光線を全反射させずに乱反射させ、その結果、ゴースト等が発生しないようにしている。このような絞り部材は、従来、加工コストの低いプレス抜きにより薄いプラスチック板材から製造されている。
【発明の開示】
【発明が解決しようとする課題】
【０００３】
上記のゴースト対策を施した絞り部材が用いられる場合は、点光源などのボケ像の輪郭に絞り部材の鋸歯状の凹凸が現れ、その凹凸段差が大きい場合は画質を損なうという問題がある。上述したプレス抜き加工では、プレス機の動作精度やダイの加工精度などから、絞り部材に微細な凹凸形状を付けることは困難である。
【課題を解決するための手段】
【０００４】
（１）本発明の請求項１に係るレンズ鏡筒は、入射した被写体光のうち撮像に不要な光をカットするために鋸歯状の凹凸を内周面に設けた環状の絞り部材が光軸方向に少なくとも２枚配設されるレンズ鏡筒であって、少なくとも２枚の絞り部材のそれぞれは、それらの鋸歯状の凹凸ピッチを光軸回りにずらして配設されることを特徴とする。
（２）請求項２に係るレンズ鏡筒は、請求項１のレンズ鏡筒において、絞り部材の枚数をｎとし、ｎ枚の絞り部材の鋸歯状の凹凸ピッチをそれぞれｐとするとき、ｎ枚の絞り部材のそれぞれは、それらの鋸歯状の凹凸ピッチを光軸回りにｐ／ｎづつずらして配設されることを特徴とする。
（３）請求項３に係るレンズ鏡筒は、請求項１または２のレンズ鏡筒において、絞り部材の外周面には、位置決め用の突起部が設けられるとともに、絞り部材が固定されるレンズ枠には、突起部の位置合わせ用指標が設けられていることを特徴とする。
（４）請求項４に係るレンズ鏡筒は、入射した被写体光のうち撮像に不要な光をカットするために鋸歯状の凹凸を内周面に設けた環状の絞り部材が光軸方向に少なくとも２枚配設されるレンズ鏡筒であって、少なくとも２枚の絞り部材の鋸歯状の凹凸は互いに相補形状であり、一方の絞り部材の鋸歯状の各凹と他方の絞り部材の鋸歯状の各凸とが対峙するとともに、一方の絞り部材の鋸歯状の各凸と他方の絞り部材の鋸歯状の各凹とが対峙するように、少なくとも２枚の絞り部材が配設されることを特徴とする。
（５）請求項５に係るカメラは、請求項１〜４のいずれかのレンズ鏡筒と、レンズ鏡筒に入射する被写体光による被写体像を撮像する撮像手段とを備えることを特徴とする。
【発明の効果】
【０００５】
本発明のレンズ鏡筒によれば、複数枚の絞り部材を、鋸歯状の凹凸を光軸回りにずらして配設するので、凹凸段差が緩和され、良好な画質の画像を形成できる。
【発明を実施するための最良の形態】
【０００６】
以下、本発明の実施の形態によるレンズ鏡筒およびカメラについて、図面を参照しながら説明する。
〈第１の実施の形態〉
図１は、本発明の第１の実施の形態によるカメラの概略を示す全体斜視図である。図２は、本発明の第１の実施の形態によるレンズ鏡筒の構成を模式的に示す断面図である。図３は、図２に示すレンズ鏡筒に配設されるフレアカット絞りおよび発生するボケ像を模式的に示す図であり、図３（ａ）は、フレアカット絞りの図、図３（ｂ）は、ボケ像の図である。
【０００７】
図１を参照すると、カメラ１は、各種の内装部品を収容するメインボディ２と、メインボディ２の前面に取り付けられるレンズ鏡筒１０とを有する。各種の内装部品とは、例えば、ファインダ光学系、測光装置、測距装置、閃光装置、撮像装置などであり、窓３は、ファインダ光学系用、窓４は、測光装置および測距装置用、窓５は、閃光装置用に設けられている。メインボディ２の上面には、レリーズ釦６が設けられている。レンズ鏡筒１０は、固定筒１１とカム筒１２とを有する。また、メインボディ２の内部には、不図示の撮像装置が設けられており、レンズ鏡筒１０により形成される被写体像を撮像する。
【０００８】
図２を参照して、レンズ鏡筒１０の構成を説明する。レンズ鏡筒１０のカム筒１２には、被写体光の入射側から光軸ＡＸに沿って順に、第１レンズ群１３と、第２レンズ群２０と、第３レンズ群１８とが配置されている。第２レンズ群２０は、開口絞り１４、第１レンズ１５、第２レンズ１６、フレアカット絞り２１Ａ、第３レンズ１７およびフレアカット絞り２１Ｂを有する。第１レンズ群１３は、レンズ枠１３ａに保持され、第２レンズ群２０は、レンズ枠１４ａに保持され、第３レンズ群１８は、レンズ枠１８ａに保持されている。フレアカット絞り２１Ａ、２１Ｂは、同一寸法、同一形状の部材であるが、説明の便宜上、異なる符号を付す。
【０００９】
カメラ１の焦点調節をするときは、カム筒１２を不図示のカム機構により固定筒１１の内面で回転しつつ光軸ＡＸに沿って移動させ、レンズ鏡筒１０の後方に配置されている撮像装置３０との距離を変化させる。すなわち、第１レンズ群１３〜第３レンズ群１８が一体で光軸ＡＸ方向に動く。
【００１０】
第２レンズ群２０に注目すると、第２レンズ群２０の最前面には、入射瞳径を決める開口絞り１４が配置され、開口絞り１４の後方に、フレアカット絞り２１Ａ、２１Ｂが配置されている。フレアカット絞り２１Ａ、２１Ｂは、ほぼリング状の薄板部材であり、いずれもその中心軸を光軸ＡＸに一致させて配置されている。
【００１１】
図３（ａ）は、フレアカット絞り２１Ａ、２１Ｂを光軸ＡＸ方向から見た図であり、内周面２１ａは、周方向に沿って鋸歯形状となっており、外周面には突起２１ｂが設けられている。フレアカット絞り２１Ａ，２１Ｂは、厚さ０．０４ｍｍ程度のプラスチック薄板材からプレス抜き加工で一体に製作され、内周面２１ａの鋸歯の大きさは、例えば、鋸歯の斜面の長さが加工限界の０．３ｍｍである。
【００１２】
外周面の突起２１ｂは、フレアカット絞り２１Ａ，２１Ｂをレンズ枠１４ａに接合する際の位置合わせ用として設けられており、光軸ＡＸ回りの角度および光軸ＡＸと直交する方向の位置を規定するものである。例えば、フレアカット絞り２１Ａの突起２１ｂの辺２１ｃをレンズ枠１４ａの指標マーク（不図示）に合わせることにより、光軸ＡＸ回りの角度が決まり、突起２１ｂの先端２１ｃをレンズ枠１４ａの別の指標マーク（不図示）に合わせることにより、光軸ＡＸと直交する方向の位置が決まる。これにより、フレアカット絞り２１Ａの鋸歯形状とフレアカット絞り２１Ｂの鋸歯形状とを位相をずらして正確に配置し、また、フレアカット絞り２１Ａ，２１Ｂの中心軸を光軸ＡＸに正確に一致させて配置することができる。
【００１３】
ここで、フレアカット絞り２１Ａ、２１Ｂの位置関係を詳細に説明する。フレアカット絞り２１Ａは、突起２１ｂが水平軸Ｈに一致しており、フレアカット絞り２１Ｂは、突起２１ｂが水平軸Ｈと角度θをなす傾斜軸Ｋに一致している。内周面２１ａの鋸歯状の凹凸ピッチをｐとすると、角度θは、ｐ／２のピッチに相当する回転角である。つまり、フレアカット絞り２１Ｂは、フレアカット絞り２１Ａと同一の回転位置から半ピッチだけ位相をずらした回転位置にある。これにより、見かけ上、ｐ／２のピッチを有する１枚のフレアカット絞りを光路上に配設したことになる。
【００１４】
図３（ｂ）は、フレアカット絞り２１Ａ、２１Ｂの組合せにより、点光源の像を撮像装置３０により撮像したときのボケ像２５である。鋸歯状の内周面２１ａは、入射光線を全反射させずに乱反射させ、有害な光線が撮像面に到達するのを阻止する機能があるが、図３（ｂ）に示されるように、ボケ像２５の外周部２５ａには、内周面２１ａの鋸歯形状を反映する凹凸が現れる。フレアカット絞り２１Ａ、２１Ｂの重ね合わせの結果、図３（ｂ）に示すように、点光源のボケ像２５の外周部２５ａは、細かい凹凸形状となる。
【００１５】
本実施の形態では、２枚のフレアカット絞り２１Ａ，２１Ｂを用いることにより、ボケ像２５の外周部２５ａの状態が改善されており、その効果をフレアカット絞りを１枚のみ用いた場合と比較する。
図４は、第１の実施の形態によるレンズ鏡筒の比較例であり、その構成を模式的に示す断面図である。図５は、図４に示すレンズ鏡筒に配設されるフレアカット絞りおよび発生するボケ像を模式的に示す図であり、図５（ａ）は、フレアカット絞りの図、図５（ｂ）は、ボケ像の図である。
【００１６】
図４に示される比較例のレンズ鏡筒１０Ａは、第１の実施の形態によるレンズ鏡筒１０と基本的には同じ構成であり、相違点は、１枚のフレアカット絞り２１を配設していることのみである。フレアカット絞り２１は、フレアカット絞り２１Ａ、２１Ｂと同一寸法、同一形状である。レンズ鏡筒１０Ａでは、レンズ鏡筒１０と同じ構成部品には同一符号を付し、説明を省略する。
【００１７】
図５に示されるように、１枚のみのフレアカット絞り２１を用いる場合は、内周面２１ａの鋸歯状の凹凸ピッチｐの影響がそのまま点光源のボケ像２６に現れる。図５（ｂ）のボケ像２６の外周部２６ａは、図３（ｂ）のボケ像２５の外周部２５ａに比べて凹凸形状が粗くなり、その分だけ画像への影響が大きくなる。換言すれば、本実施の形態のレンズ鏡筒１０では、同一寸法、同一形状の２枚のフレアカット絞り２１Ａ、２１Ｂを、それらの鋸歯形状の位相が半ピッチずれるように配置することにより、ボケ像２５の外周部２５ａの状態が改善され、画像の質が向上する。すなわち、２枚のフレアカット絞り２１Ａ，２１Ｂを用いることにより、１枚のフレアカット絞り２１を用いた場合よりも、ボケ像２５の外周部２５ａの状態が改善されて画像への影響（違和感、不自然さ）が緩和される。
【００１８】
本実施の形態では、２枚のフレアカット絞り２１Ａ，２１Ｂを用いたが、３枚以上のフレアカット絞りを用いることもできる。例えば、３枚のフレアカット絞りをレンズ鏡筒１０の光路上に配設した場合は、１枚目と２枚目のフレアカット絞りをｐ／３のピッチだけずらし、２枚目と３枚目のフレアカット絞りもｐ／３のピッチだけずらすことにより、見かけ上、ｐ／３のピッチを有する１枚のフレアカット絞りを光路上に配設したのと同じになる。一般に、ｎ枚のフレアカット絞りを用いた場合は、隣接する２枚のフレアカット絞りをそれぞれｐ／ｎのピッチだけ順にずらすことにより、ｐ／ｎのピッチを有するフレアカット絞りを１枚光路上に配設したのと同じになる。この組み合わせ（重ね合わせ）による効果は、ピッチｐを一定とするとｎが大きいほど増大する。つまり、フレアカット絞りの設置枚数を増やすことにより、その枚数に比例して画像の質が向上する。
【００１９】
〈第２の実施の形態〉
図６は、本発明の第２の実施の形態によるレンズ鏡筒に配設されるフレアカット絞りおよび発生するボケ像を模式的に示す図であり、図６（ａ）は、フレアカット絞りの図、図６（ｂ）は、ボケ像の図である。
【００２０】
第２の実施の形態によるレンズ鏡筒は、第１の実施の形態によるレンズ鏡筒１０と基本的には同じ構成であり、相違点は、図６に示される２枚のフレアカット絞り３１Ａ，３１Ｂのみである。すなわち、図２のレンズ鏡筒１０において、フレアカット絞り２１Ａ、２１Ｂをフレアカット絞り３１Ａ，３１Ｂに置き換えただけである。フレアカット絞り３１Ａ，３１Ｂは、同一寸法、同一形状の部材であるが、説明の便宜上、異なる符号を付す。
【００２１】
フレアカット絞り３１Ａ，３１Ｂの内周面３１ａは、複数の弧が連なる凹凸形状となっている。フレアカット絞り３１Ａは、突起３１ｂが水平軸Ｈに一致しており、フレアカット絞り３１Ｂは、突起３１ｂが水平軸Ｈと角度θをなす傾斜軸Ｋに一致している。内周面３１ａの弧状の凹凸ピッチをｐとすると、角度θは、ｐ／２のピッチに相当する回転角である。これにより、見かけ上、ｐ／２のピッチを有する１枚のフレアカット絞りを光路上に配設したことになる。その重ね合わせの結果、点光源のボケ像３５の外周部３５ａは、細かい凹凸形状となる。フレアカット絞り３１Ａをｎ枚（ｎは３枚以上）用いた場合は、隣接する２枚のフレアカット絞りをそれぞれｐ／ｎのピッチだけ順に回転方向にずらすことにより、ｐ／ｎのピッチを有する１枚のフレアカット絞りを光路上に配設したのと同じになる。本実施の形態でも、第１の実施の形態のレンズ鏡筒と同様の作用効果を奏する。
【００２２】
〈第３の実施の形態〉
図７は、本発明の第３の実施の形態によるレンズ鏡筒に配設されるフレアカット絞りおよび発生するボケ像を模式的に示す図であり、図７（ａ）は、フレアカット絞りの図、図７（ｂ）は、ボケ像の図である。
【００２３】
第３の実施の形態によるレンズ鏡筒は、第１および第２の実施の形態によるレンズ鏡筒１０と基本的には同じ構成であり、相違点は、図７に示される２枚のフレアカット絞り４１，４２のみである。すなわち、図２のレンズ鏡筒１０において、フレアカット絞り２１Ａ、２１Ｂをフレアカット絞り４１，４２に置き換えただけである。
【００２４】
第１の実施の形態で説明したフレアカット絞り２１Ａ、２１Ｂは、同一寸法、同一形状の部材であるが、本実施の形態では、フレアカット絞り４１と４２とは、同一のものではない。図７（ａ）に示されるように、フレアカット絞り４１の内周面４１ａは、複数の弧状凸面が連なって凹凸形状を形成しており、一方、フレアカット絞り４２の内周面４２ａは、複数の弧状凹面が連なって凹凸形状を形成している。すなわち、フレアカット絞り４１の内周面４１ａの凹凸形状とフレアカット絞り４２の内周面４２ａの凹凸形状とは、相補的である。但し、フレアカット絞り４１と４２とは、同一のピッチで形成されている。両者のピッチは、プレス抜き加工精度の点から同様に制約される。すなわち、フレアカット絞り４１の内周面４１ａの凹凸形状とフレアカット絞り４２の内周面４２ａの凹凸形状とは、凸面と凹面が反転した関係にある。
【００２５】
フレアカット絞り４１，４２のそれぞれの突起４１ｂ，４２ｂを水平軸Ｈに一致させたとき、フレアカット絞り４１の内周面４１ａの凸面とフレアカット絞り４２の内周面４２ａの凹面が位置的に合致し、凸面と凹面が相殺され、見かけ上、平坦に近くなる。この重ね合わせの結果、図７（ｂ）に示されるように、点光源のボケ像４５の外周部４５ａは、細かい凹凸形状となる。
【００２６】
また、２枚のフレアカット絞り４１と２枚のフレアカット絞り４２の合計４枚を交互に配設し、隣接する２枚のフレアカット絞りをそれぞれｐ／４のピッチだけ順に回転方向にずらすことにより、合成された凹凸形状は、見かけ上、平坦に近くなる。本実施の形態では、内周面の凸面と凹面との相殺を利用して凹凸段差（凹凸ピッチ）を小さくするので、凸面の内周面を有するフレアカット絞り４１と凹面の内周面を有するフレアカット絞り４２の設置枚数は同数であることが望ましい。
【００２７】
本実施の形態でも、第１および第２の実施の形態のレンズ鏡筒と同様の作用効果を奏する。特に、フレアカット絞りを２枚用いる場合、例えば、フレアカット絞り４１，４２をレンズ鏡筒に組み込むとき、それぞれの突起４１ｂ，４２ｂを水平軸Ｈに一致させるだけで済むので、位置合わせを容易に行うことができる。
【００２８】
本発明は、その特徴を損なわない限り、以上説明した実施の形態に何ら限定されない。例えば、フレアカット絞りの内周面の凹凸形状は、多角形の鋸歯状や楕円弧状でもよい。また、凹凸形状を不等間隔ピッチで形成してもよい。また、隣接するフレアカット絞り同士は、本実施の形態で説明したように所定の間隔で配置してもよいし、接触させて配置してもよい。さらに、本発明は、四角の開口を有するフレアカット絞りを配設したレンズ鏡筒にも適用できる。この場合は、複数枚のフレアカット絞りの対応する四辺の凹凸ピッチが重ならないように配設する。
【図面の簡単な説明】
【００２９】
【図１】本発明の実施の形態に係るカメラの概略を示す全体斜視図である。
【図２】本発明の第１の実施の形態に係るレンズ鏡筒の構成を模式的に示す断面図である。
【図３】図２に示すレンズ鏡筒に配設されるフレアカット絞りおよび発生するボケ像を模式的に示す図であり、図３（ａ）は、フレアカット絞りの図、図３（ｂ）は、ボケ像の図である。
【図４】第１の実施の形態によるレンズ鏡筒の比較例を示す断面図である。
【図５】図４に示すレンズ鏡筒に配設されるフレアカット絞りおよび発生するボケ像を模式的に示す図であり、図５（ａ）は、フレアカット絞りの図、図５（ｂ）は、ボケ像の図である。
【図６】本発明の第２の実施の形態に係るレンズ鏡筒に配設されるフレアカット絞りおよび発生するボケ像を模式的に示す図であり、図６（ａ）は、フレアカット絞りの図、図６（ｂ）は、ボケ像の図である。
【図７】本発明の第３の実施の形態に係るレンズ鏡筒に配設されるフレアカット絞りおよび発生するボケ像を模式的に示す図であり、図７（ａ）は、フレアカット絞りの図、図７（ｂ）は、ボケ像の図である。
【符号の説明】
【００３０】
１：カメラ
２：メインボディ
１０：レンズ鏡筒
１１：固定筒
１２：カム筒
１４：開口絞り
２０：第２レンズ群
２１，２１Ａ，２１Ｂ，３１Ａ，３１Ｂ、４１，４２：フレアカット絞り
２１ａ，３１ａ，４１ａ，４２ａ：内周面
２１ｂ，３１ｂ，４１ｂ，４２ｂ：突起
２５，２６，３５，４５：ボケ像
２５ａ，２６ａ，３５ａ，４５ａ：外周部
Ｈ：水平軸
Ｋ：傾斜軸
【図１】
2006133442.tif 000003
【図２】
2006133442.tif 000004
【図３】
2006133442.tif 000005
【図４】
2006133442.tif 000006
【図５】
2006133442.tif 000007
【図６】
2006133442.tif 000008
【図７】
2006133442.tif 000009